(57)【特許請求の範囲】
【請求項１】
鋼製天井を構成する鋼製野縁および鋼製野縁受けの上部に敷き詰められる断熱材を適宜の位置で係止する断熱材ストッパであって、
前記鋼製野縁は、リップ片の間の溝開口部が上方を向いているリップ溝形鋼により構成され、
前記断熱材ストッパは、前記鋼製野縁の溝内の横断面形状と略同一の形状を有し、該鋼製野縁の溝内に係合する係合片部と、該係合片部から溝開口部を通過する首部を介して上方に延びて前記断熱材を係止する係止片部とから構成されていることを特徴とする鋼製天井における断熱材ストッパ。
【請求項２】
請求項１記載の鋼製天井における断熱材ストッパにおいて、
前記断熱材ストッパは、金属板材を折曲げ形成することによって形成され、かつ前記係合片部の上端部両側に、前記鋼製野縁を構成するリップ溝形鋼のリップ片に溝内側から圧接される圧接片を有し、
前記係止片部下側の首部との間の段部が、前記リップ片の外側面に係止されるとともに、前記圧接片が該リップ片に内側から圧接されることにより、該鋼製野縁の長手方向の所定箇所に固定されていることを特徴とする鋼製天井における断熱材ストッパ。
【請求項３】
請求項１または請求項２記載の鋼製天井における断熱材ストッパにおいて、
前記断熱材ストッパは、鋼製天井における勾配天井部分に配置される鋼製野縁の適宜の位置に付設されていることを特徴とする鋼製天井における断熱材ストッパ。
【発明の詳細な説明】
【０００１】
【発明の属する技術分野】
本発明は、鋼製野縁、鋼製野縁受け等を備えた鋼製天井において、該鋼製野縁や鋼製野縁受けの上側に敷設される断熱材のずれや浮き上がりを防止するために用いられる断熱材ストッパに関する。
【０００２】
【従来の技術】
鋼製天井の吊り構造として、下部に天井材が取り付けられる鋼製野縁と、この鋼製野縁の上部に直交して配置され水平方向に延在する鋼製野縁受けとを、天井梁から垂下した木製の吊り木や吊りボルト等で前記鋼製野縁受けを連結することにより、天井材を吊り下げ支持する構造が知られている。
【０００３】
このように天井の吊り構造に鋼製野縁や鋼製野縁受けを使用することにより、それらの部材のスパンが長くても撓まず、十分に吊り木、吊りボルト等に支持された状態で天井材が撓んだり、天井材の下面が下がることがない等の利点がある。
【０００４】
ところで、上述したような鋼製天井においては、鋼製野縁や鋼製野縁受けの上側の小屋裏内部には、多数枚の断熱材が敷き詰められて配置され、屋内、外での断熱性を確保できるように構成されている。
【０００５】
このような断熱材の敷設にあたって、たとえば天井が勾配天井であるところに断熱材を単純に敷き詰めると、断熱材が上側から下側に向かって斜面をずれだし、断熱材が上側にある断熱材の重みによって部分的に浮き上がりを生じる等の不具合が避けられない。
【０００６】
上述した野縁や野縁受けが木製部材であれば、その上部に敷き詰められる断熱材のずれ止めを釘打ち等で設けた部材で行うことは比較的簡単に行えるが、上述したような鋼製天井ではそのような方法は採れない。
【０００７】
このため、従来一般には、上述したように敷き詰められた断熱材の上側に、グラスウール押さえネット等を覆い被せて押さえ込む方法が採られていた。
【０００８】
【発明が解決しようとする課題】
しかし、上述したグラスウール押さえネット等を断熱材の上側に覆い被せる方法では、作業が面倒かつ煩雑であった。特に、勾配天井部分が広かったり、敷き詰められる断熱材の枚数が多い場合には、ネットを覆い被せる作業がきわめて面倒になり、作業時間もかかる等の問題があった。
【０００９】
本発明はこのような事情に鑑みてなされたものであり、鋼製天井において、鋼製野縁、鋼製野縁受けの上部に敷設される断熱材を、ずれや浮き上がりを生じることなく簡単かつ確実に係止することができ、しかも簡単に取付けでき、作業も簡単で、またコスト面でも有利である鋼製天井における断熱材ストッパを得ることを目的とする。
【００１０】
【課題を解決するための手段】
このような目的に応えるために本発明に係る鋼製天井における断熱材ストッパは、鋼製天井を構成する鋼製野縁および鋼製野縁受けの上部に敷き詰められる断熱材を適宜の位置で係止するにあたって、前記鋼製野縁を、リップ片の間の溝開口部が上方を向いているリップ溝形鋼により構成するとともに、断熱材ストッパを、前記鋼製野縁の溝内の横断面形状と略同一の形状を有し、該鋼製野縁の溝内に係合する係合片部と、該係合片部から溝開口部を通過する首部を介して上方に延びて前記断熱材を係止する係止片部とから構成したことを特徴とする。
【００１１】
このような本発明によれば、鋼製野縁の溝内で長手方向の一部に係合片部を係合させることにより、断熱材ストッパを設けることができ、その上方に延びた係止片部により、鋼製野縁や鋼製野縁受けの上側に敷設される断熱材を所定の位置で係止することがきわめて簡単に行える。
【００１２】
また、本発明に係る鋼製天井における断熱材ストッパは、請求項１において、前記断熱材ストッパは、金属板材を折曲げ形成することによって形成され、かつ係合片部の上端部両側に、鋼製野縁を構成するリップ溝形鋼のリップ片に溝内側から圧接される圧接片を有し、前記係止片部下側の首部との間の段部が、前記リップ片の外側面に係止されるとともに、前記圧接片が該リップ片に内側から圧接されることにより、該鋼製野縁の長手方向の所定箇所に固定されていることを特徴とする。
【００１３】
このような本発明によれば、断熱材ストッパを、鋼製野縁の長手方向の所定の位置に簡単に係合させて組み付けることができるから、敷設した断熱材を所要の位置で係止してずれ止めを行うことがきわめて簡単に行える。特に、断熱材の敷設状態に応じて断熱材ストッパを設けておくことにより、従来のようなグラスウール押さえネット等を用いた際のような面倒な作業は不要となる。
【００１４】
また、本発明に係る鋼製天井における断熱材ストッパは、請求項１または請求項２において、前記断熱材ストッパは、鋼製天井における勾配天井部分に配置される鋼製野縁の適宜の位置に付設されていることを特徴とする。
【００１５】
このような本発明によれば、断熱材ストッパを、鋼製野縁の所定の箇所に設けるだけで、その上側に敷設する断熱材のずれ止め、浮き上がり防止を行えるため、断熱材の敷設時の作業がきわめて簡単にしかも適切に行える。
【００１６】
【発明の実施の形態】
図１ないし図６は本発明に係る鋼製天井における断熱材ストッパの一つの実施の形態を示す。
これらの図において、初めに鋼製天井および該鋼製天井の吊り構造の概略を図５を用いて説明する。同図において、符号２ａ，２ｂは互いに直交して配置されている建物内部の壁の上部を示している。一方の壁の上部２ｂには、木製の壁際野縁４が水平方向に延在して固定されている。この壁際野縁の側面に、開口部を室内側に向けた断面コ字状のランナー６が固定されている。
【００１７】
前記ランナー６に、下部に天井材としての石膏ボード８を取付けた鋼製野縁１０の端部が差し込まれて水平に配置されている。なお、図示していないが、他の複数の鋼製野縁も、この鋼製野縁１０に対して平行に離間して水平方向に配置された状態でランナー６に差し込まれている。
【００１８】
また、鋼製野縁１０と他の鋼製野縁の上部に、これらの鋼製野縁に対して直交して水平方向に延在する鋼製野縁受け１２がクリップ部材１４を介して連結されており、鋼製野縁受け１２は、天井梁１６から垂下した木製の吊り木１８にハンガー部材２０を介して吊り下げ支持されている。
ここで、符号２２は、他方の壁２ｂに固定されている木製の壁際野縁４に固定され、鋼製野縁受け１２を水平に保持している振止金具である。
【００１９】
前記鋼製野縁受け１２は、リップ片１２ａ，１２ｂの間の開口部が水平方向を向いているリップみぞ形鋼により構成されている。
この構成野縁受け１２に連結されているハンガー部材２０は、鋼製野縁受け１２の溝１２ｃ内の横断面形状とほぼ同一の形状を有して鋼製野縁受け１２の長手方向を摺動自在な係合部２０ａと、この係合部２０ａからリップ片１２ａ，１２ｂの間の開口部を通過する首部２０ｂを介して鋼製野縁受け１２の外部に位置して吊り木１８の側面に当接する固定部２０ｃとを備えている。この固定部２０ｃには予めねじ孔（図示せず）が形成されており、このねじ孔を通過して吊り木１８にビス２１を留めることで吊り木１８に固定されている。
【００２０】
鋼製野縁１０は、リップ片１０ａ，１０ｂの間の開口部が上方を向いているリップみぞ形鋼により構成されてる。
【００２１】
この鋼製野縁１０に連結されて鋼製野縁受け１２との連結手段として用いられるクリップ部材１４は、図６に示されるように、板状の金属部材で構成されており、鋼製野縁１０の溝１０ｃ内の横断面形状とほぼ同一の形状を有して鋼製野縁１０の長手方向を摺動自在な係合部１４ａと、この係合部１４ａからリップ片１０ａ，１０ｂの間の開口部を通過する首部１４ｂを介して鋼製野縁１０の上部に位置し、鋼製野縁受け１２の外周の一部に嵌合する嵌合部１４ｃとを備えている。
【００２２】
ここで、嵌合部１４ｃは、鋼製野縁受け１２の上部外周より僅かに小さな形状の逆Ｌ字形状に形成した弾性を有する弾性板状部であり、鋼製野縁受け１２の上部に嵌合部１４ｃを当接することにより、嵌合部１４ｃが弾性変形して鋼製野縁受け１２の上部外周を上部から囲みながら着脱自在に嵌合している。
【００２３】
このようなクリップ部材１４は、図５に示すように、係合板部１４ａを鋼製野縁１０を構成するリップみぞ形鋼の溝１０ｃ内に係合させ、長手方向の所定箇所で首部１４ｂの嵌合部１４ｃ側の段差をリップ片１０ａ，１０ｂの外側に係合させた状態で内側から係合板部１４ａの両側に折曲げ形成した圧接片１４ｅ，１４ｆを弾発力をもって圧接させることにより、該鋼製野縁１の所定箇所に係合固定することができるのである。この状態で、前記嵌合部１４ｄを前記鋼製野縁受け１２の上部に係止させることにより、両部材を連結固定することができる。
【００２４】
図中１４ｈは、上記鋼製野縁受け１２との連結時、あるいはや図示しないがハンガー部材との連結時に必要に応じて選択的に用いられる折曲げ片で、必要に応じて折曲げられて被連結部材との連結に用いられる。
【００２５】
以上のような構成による鋼製天井において、たとえば勾配天井であるところでは、図３に示すように、上、下の鋼製野縁１０間に複数の鋼製野縁１０を斜めに傾斜して配置している。なお、図中２６，２６は上、下の鋼製野縁１０の側部に付設したコ字状を呈するランナーで、これにより傾斜している鋼製野縁１０の上、下端部が保持されている。
【００２６】
本発明によれば、図１〜図４に示すように、上述した勾配天井部分に配置される鋼製野縁１０に対してその上部に敷き詰められる断熱材２８のずれを防ぐ断熱材ストッパ３０を設けたところを特徴としている。
この断熱材ストッパ３０は、図１および図２から明らかなように、金属板材によって形成され、前記鋼製野縁１０の１０ｃ内の横断面形状と略同一の形状を有し、該鋼製野縁１０の溝１０ｃ内に係合する係合片部３０ａと、該係合片部３０ａから溝１０ｃの開口部を通過する首部３０ｂを介して上方に延びて断熱材２８を係止する係止片部３０ｃとから構成されている。
【００２７】
また、この断熱材ストッパ３０は、係合片部３０ａの上端部両側に、鋼製野縁１０を構成するリップ溝形鋼のリップ片１０ａ，１０ｂに溝１０ｃ内側から圧接される圧接片３０ｄ，３０ｅを有し、前記係止片部３０ｃ下側の首部３０ｂとの間の段部が、前記リップ片１０ａ，１０ｂの外側面側に係止されるとともに、前記圧接片３０ｄ，３０ｅが該リップ片１０ａ，１０ｂに内側から弾発力をもって圧接されることにより、該鋼製野縁１０の長手方向の所定箇所に固定されるように構成されている。
【００２８】
なお、上述した係止片部３０ｃの延設長さは、係止する断熱材２８の厚さなどに応じて適宜設定すればよい。
また、この実施の形態では、この断熱材ストッパ３０を、前記クリップ部材１４とほぼ同一形状で形成し、嵌合部１４ｃを折曲げ加工しない状態としたものを用いるようにしている。このようにクリップ部材１４とほぼ同形状で形成すれば、この種の鋼製天井を構成するための吊り金具などと部品の共用化を図ることができるから、部品の製造コストなどを低減できる等の利点を奏する。
【００２９】
このような断熱材ストッパ３０を用いると、鋼製野縁１０の溝１０ｃ内で長手方向の一部に係合片部３０ａを係合させて設けるだけで、断熱材ストッパ３０を所定箇所に設けることができるから、上方に延びた係止片部３０ｃにより鋼製野縁１０や鋼製野縁受け１２の上側に敷設される断熱材２８を所定の位置で係止し、そのずれ止め、浮き上がり防止を図ることがきわめて簡単に行える。
【００３０】
したがって、鋼製天井において、鋼製野縁１０、鋼製野縁受け１２の上側に敷設される断熱材２８を、ずれや浮き上がりを生じることなく簡単かつ確実に係止できるばかりでなく、簡単に所定箇所への取付けを行えるから、従来のグラスウール押さえネット等のような面倒な作業を行って断熱材２８のずれ止めを行う場合に比べて、取付け作業がきわめて簡単に行え、しかもコスト面でも安価になる等の利点を奏することができる。特に、本発明によれば、断熱材２８の敷設状態に応じて断熱材ストッパ３０を適宜の位置に設けておくだけで、従来のようなグラスウール押さえネット等を用いた際のような面倒な作業やその作業時間が不要となるから、断熱材２８の敷設時の作業がきわめて簡単になる。
【００３１】
なお、本発明は上述した実施の形態で説明した構造には限定されず、各部の形状、構造等を適宜変形、変更し得ることはいうまでもない。
たとえば上述した実施の形態では、断熱材ストッパ３０を、勾配天井を構成する鋼製野縁１０の所定箇所に設けた場合を説明したが、これに限らず、鋼製野縁１０や鋼製野縁受け１２の所定箇所に設けてもよい。要するに、断熱材ストッパ３０を、鋼製野縁１０や鋼製野縁受け１２等の適宜の位置に設けることにより、その上側に敷設される断熱材２８を適宜係止できるように構成すればよい。
【００３２】
【発明の効果】
以上説明したように本発明に係る鋼製天井における断熱材ストッパによれば、鋼製野縁の溝内で長手方向の一部に係合片部を係合させることにより、断熱材ストッパを設けることができ、その上方に延びた係止片部により、鋼製野縁や鋼製野縁受けの上側に敷設される断熱材を所定の位置で係止することがきわめて簡単に行える。
【００３３】
したがって、本発明によれば、鋼製天井において、鋼製野縁、鋼製野縁受けの上側、特に勾配天井部分に敷設される断熱材を、ずれや浮き上がりを生じることなく簡単かつ確実に係止することができ、しかも簡単に取付けることができ、従来のグラスウール押さえネット等を用いて固定する場合に比べて、作業がきわめて簡単で、しかもコスト面でも有利である等の利点がある。
【００３４】
また、本発明によれば、断熱材ストッパを、鋼製野縁の溝内に係合する係合片部と溝開口部を通過する首部を有する形状で形成し、鋼製野縁、鋼製野縁受け間の連結やハンガー部材などの吊り下げ用として用いる部分に作用するクリップ部材等の吊り金物と形状を共通化することにより、部品の加工を共通にし、加工コスト等を低減することができる等の利点もある。
【図面の簡単な説明】
【図１】  本発明に係る鋼製天井における断熱材ストッパの一つの実施の形態を示し、鋼製天井における断熱材ストッパの付設構造を説明するための概略斜視図である。
【図２】  図１に示した断熱材ストッパの詳細図である。
【図３】  図１、図２における断熱材ストッパにより断熱材を係止する鋼製天井における勾配天井部分の概略斜視図である。
【図４】  図１〜図４における断熱材ストッパにより断熱材を係止している状態を説明するための概略側断面図である。
【図５】  鋼製天井における吊り構造部分を説明するための概略斜視図である。
【図６】  図５で用いたクリップ部材の詳細図である。
【符号の説明】
１０…鋼製野縁、１０ａ，１０ｂ…リップ片、１０ｃ…溝、１２…鋼製野縁受け、１２ａ，１２ｂ…リップ片、１２ｃ…溝、１４…クリップ部材、１４ａ…係合部、１４ｂ…首部、１４ｃ…嵌合部、２６…ランナー、２８…断熱材、３０…断熱材ストッパ、３０ａ…係合片部、３０ｂ…首部、３０ｃ…係止片部、３０ｄ，３０ｅ…圧接片、３０ｆ…折曲げ片。
【図１】
0004721209.tif 000002
【図２】
0004721209.tif 000003
【図３】
0004721209.tif 000004
【図４】
0004721209.tif 000005
【図５】
0004721209.tif 000006
【図６】
0004721209.tif 000007